(57)【特許請求の範囲】
【請求項１】
ボルトのネジ山と係合する撓み片が径方向に突出形成されたナットの緩み止めリングを遠隔操作によって取り外す緩み止めリング取外し工具であって、
前記緩み止めリングを収容する開口縁側から長手方向へ所定長さの範囲の円筒内面に、前記緩み止めリングの外周縁と係合可能な係合構造が形成されていると共に、前記所定長さの範囲内の少なくとも１箇所に貫通孔が形成されている外筒体と、
前記開口縁から長手方向へ前記所定長さの範囲内に一端が位置するように前記外筒体内に配置され、前記一端に前記ボルトの収容孔が形成された内筒体と、
前記内筒体の他端に延設され、遠隔操作棒と連結可能な連結部と、
を備え、
前記係合構造は、前記開口縁側から長手方向へ延びるように形成されたスリットであり、
前記内筒体の前記一端には、前記スリットと一致する周方向位置に内スリットが形成されていることを特徴とする緩み止めリング取外し工具。
【請求項２】
前記内筒体は、前記外筒体内で長手方向へ摺動可能に配置されており、前記一端が前記所定長さの範囲内に位置する状態で前記外筒体に対して固定できることを特徴とする請求項１に記載の緩み止めリング取外し工具。
【請求項３】
前記貫通孔は、周方向に延びる長孔状に形成されていることを特徴とする請求項１又は２に記載の緩み止めリング取外し工具。
【発明の詳細な説明】
【技術分野】
【０００１】
本発明は、ナットの外側から重ねて配置された緩み止めリングを遠隔操作により取り外す、緩み止めリング取外し工具に関するものである。
【背景技術】
【０００２】
ボルトに締結されたナットの緩みを防止するために、従来から緩み止め具が考えられている。図６には、従来の緩み止め具１００の平面図が示されている。ここでは、緩み止め具１００は実線で、ナットから突出したボルト挿通領域１０４は点線で、また、ボルト１５０及び取外し工具１６０は二点鎖線で表わされている。
【０００３】
図６に示すように、緩み止め具１００は正六角形の周囲壁１０１を有し、この周囲壁１０１の下方側（紙面裏側方向）の周端縁部１０２から縮径方向に延びるように６枚の板バネ片１０３が延設されている。これら板バネ片１０３の先端は二点鎖線で表わしたボルト１５０のネジ山に係合している。この緩み止め具１００の外形は正六角形に形成されているので、一般的なスパナ、メガネレンチ、ラチェットレンチ等の一般工具によって脱着操作が可能である。このような構成の緩み止め具１００については、特許文献１に記載がある。
【０００４】
図７には、図６とは別の形態の緩み止めナット２００（図６の緩み止め具１００に相当。）と、この緩み止めナット２００の脱着工具２６０が中央縦断面図によって示されている。緩み止めの対象であるナット２６５の外側に取り付けられた緩み止めナット２００については、図６の緩み止め具１００と同様に、外周側板部２００ａから縮径方向に板バネ状の撓み羽根２０１が形成された構成となっている。図７では、この撓み羽根２０１がボルト２５０のネジ山に係合して設置された状態が示されている。
【０００５】
図７の従来例では、図６の例とは異なり、緩み止めナット２００の脱着のために専用工具である脱着工具２６０が用いられている。脱着工具２６０の先端には、隣接する撓み羽根２０１同士の隙間に挿入できる爪２６２が形成されている。図７には、これら複数の爪２６２が撓み羽根２０１同士の隙間に挿入された状態が示されている。この状態でハンドル２６４を押し付けパイプ軸２６１回りに回転させると、ボルト２５０から緩み止めナット２００を取り外すことができる。このような構成の緩み止めナット２００及び脱着工具２６０については、特許文献２に記載がある。
【先行技術文献】
【特許文献】
【０００６】
【特許文献１】実用新案登録第３１１３２３０号公報
【特許文献２】国際公開第９８／０５９１７８号
【発明の概要】
【発明が解決しようとする課題】
【０００７】
ところで、上述の図６に示した従来の緩み止め具１００の外形は正六角形であり、この外形に適合した汎用工具を正確に嵌め合せなければならない。しかし、遠隔操作においてレンチなどの汎用工具を緩み止め具１００に嵌合させるのは容易ではない。また、緩み止め具１００の外形が正多角形ではなく、円形であったり、回転対称でない形状に対しては汎用工具では対応できない。
【０００８】
これに対して、図７に示したような脱着工具２６０を用いれば、外形の形状に関わらず
、隣接する撓み羽根２０１同士の隙間に工具の爪２６２を係合させれば、脱着作業を行うことが可能である。しかし、遠隔操作においては、図６の構成よりもさらに位置合わせが困難である。
【０００９】
しかも、図６、７に示した従来の構成では、取り外した緩み止め具１００、緩み止めナット２００を保持することについて考慮されていないので、取り外した後に落下する危険があり、高所作業には適さない。
【００１０】
そこで、本発明では、遠隔操作が容易であり、且つ、取り外した緩み止めリングを安全に保持できる緩み止めリング取外し工具を提供することを目的とする。
【課題を解決するための手段】
【００１１】
上記目的を達成するために、本発明の緩み止めリング取外し工具は、ボルトのネジ山と係合する撓み片が径方向に突出形成されたナットの緩み止めリングを遠隔操作によって取り外す緩み止めリング取外し工具であって、前記緩み止めリングを収容する開口縁側から長手方向へ所定長さの範囲の円筒内面に、前記緩み止めリングの外周縁と係合可能な係合構造が形成されていると共に、前記所定長さの範囲内の少なくとも１箇所に貫通孔が形成されている外筒体と、前記開口縁から長手方向へ前記所定長さの範囲内に一端が位置するように前記外筒体内に配置され、前記一端に前記ボルトの収容孔が形成された内筒体と、前記内筒体の他端に延設され、遠隔操作棒と連結可能な連結部と、を備えたことを特徴とする。
【００１２】
また、本発明の緩み止めリング取外し工具は、上記構成に加えて、前記係合構造は、前記開口縁側から長手方向へ延びるように形成されたスリットであることを特徴とする。
【００１３】
また、本発明の緩み止めリング取外し工具は、上記構成に加えて、前記内筒体は、前記外筒体内で長手方向へ摺動可能に配置されており、前記一端が前記所定長さの範囲内に位置する状態で前記外筒体に対して固定できることを特徴とする。
【００１４】
また、本発明の緩み止めリング取外し工具は、上記構成に加えて、前記内筒体の前記一端には、前記スリットと一致する周方向位置に内スリットが形成されていることを特徴とする。
【００１５】
また、本発明の緩み止めリング取外し工具は、上記構成に加えて、前記貫通孔は、周方向に延びる長孔状に形成されていることを特徴とする。
【発明の効果】
【００１６】
以上のように、本発明によれば、ナットの外側において撓み片をネジ山に係合させた緩み止めリングを収容するように、外筒体の開口縁側から緩み止めリング取外し工具を押し付けると、ナットと共に緩み止めリングは外筒体の開口縁と内筒体の一端との間に形成された空間に収容される。また、ナットから突き出たボルトの軸の先端は、内筒体の一端に形成された収容孔に収容される。外筒体の開口縁側には、円筒内面に係合構造が形成されているので、遠隔操作棒を介して軸回りの力を伝達すると、この係合構造と緩み止めリングの外周縁との係合又は摩擦により、緩み止めリングはボルトの軸の回りを回転する。また、開口縁から所定長さの範囲内に貫通孔が形成されているので、この貫通孔と緩み止めリングの外周縁との間の係合又は摩擦も回転に寄与する。さらに、遠隔位置から貫通孔を通して内部の緩み止めリングの状態を視認することも可能である。
【００１７】
また、本発明によれば、上記効果に加えて、係合構造として開口縁側から長手方向へスリットが形成されているので、開口縁側が僅かに拡張可能である。これにより、外筒体の
内径よりも大きい緩み止めリングも収容することが可能である。また、遠隔操作であっても、スリットが拡張されることにより位置ずれが緩和されるので、容易に遠隔操作を行うことができる。
【００１８】
また、本発明によれば、上記効果に加えて、内筒体は外筒体内に摺動可能に配置されているので、所定長さの範囲内に一端が位置する状態で緩み止めリングを収容後、外筒体に対する固定を解除して開口縁側から離間する方向へ移動させると、収容された緩み止めリングと内筒体の一端との間に空間が形成される。これにより、緩み止めリングの外周縁近傍を長手方向に押し込むと、緩み止めリングは外筒体内で回転して外周縁が引き起こされるので、取り出しが容易になる。
【００１９】
また、本発明によれば、上記効果に加えて、緩み止めリング取外し工具をボルトの軸回りに回転させて緩み止めリングを回転操作する際、内筒体の一端に形成されている内スリットと緩み止めリングの（撓み片を含む）凹凸形状との間に係合状態が生じ易く、回転力の伝達効率が向上する。また、内スリットの周方向の位置が外筒体のスリットに一致しているので、緩み止めリングをボルトから取り外した後、ドライバ等の棒状部材をスリット及び内スリットを通して緩み止めリングの裏側に差し込むことができる。これにより、内筒体と干渉することなく緩み止めリングを取り出し易くなる。
【００２０】
また、本発明によれば、上記効果に加えて、貫通孔が外筒体の周方向へ延びるように長孔状に形成されているので、緩み止めリングの外周縁の一部が貫通孔内に進入できる。これにより、外筒体の内径よりも小さい緩み止めリングを収容した場合であっても、貫通孔との間で引っ掛かりが生じるので、収容した緩み止めリングを安全且つ確実に保持することが可能である。
【図面の簡単な説明】
【００２１】
【図１】本発明の実施の形態に係る緩み止めリング取外し工具の全体斜視図である。
【図２】図１の緩み止めリング取外し工具の開口縁側の拡大正面図である。
【図３】図１の緩み止めリング取外し工具の内筒体が他端側へ移動した状態であって、（ａ）は緩み止めリングがスリット形成位置に収容されている状態を示し、（ｂ）は緩み止めリングの外周縁近傍が押し込まれた状態を示し、（ｃ）は緩み止めリングがスリットと略平行に配置された状態を示した図である。
【図４】図３（ａ）のＡ−Ａ線で切断した緩み止めリング取外し工具の断面図である。
【図５】図３（ａ）のＢ−Ｂ線で切断した緩み止めリング取外し工具の断面図である。
【図６】従来の緩み止め具を示す平面図である。
【図７】従来の緩み止めナット及び脱着工具を示す断面図である。
【発明を実施するための形態】
【００２２】
以下、本発明の実施の形態に係る緩み止めリング取外し工具について図を用いて説明する。
【００２３】
先ず、図１に本実施の形態に係る緩み止めリング取外し工具（以下、取外し工具と呼ぶ。）１の全体斜視図を示す。
【００２４】
取外し工具１では、外筒体２の内側に内筒体４が摺動可能に配置されている。外筒体２の開口縁２ａ側には、長手方向に延びるスリット２ｂが２箇所形成されている。図１では正面側（紙面手前側）のスリット２ｂのみが表わされており、背面側のスリット２ｂは、正面側のスリット２ｂと対極の位置に形成されている。
【００２５】
また、外筒体２の開口縁２ａ側には、貫通孔２ｃが形成されている。この貫通孔２ｃは
外筒体２の周方向に延びるように湾曲した長孔状に形成されている。この貫通孔２ｃも２箇所形成されており、図１に表れている上面側の貫通孔２ｃと対極の下面側に同形状の貫通孔２ｃが形成されている。
【００２６】
外筒体２には開口縁２ａとは逆側寄りの位置に、ガイドピン１０が設けられている。このガイドピン１０は、長手方向に直交する方向に外筒体２と内筒体４とを貫通している。内筒体４側には、ガイドピン１０が貫通可能なガイド孔（図示せず）が長手方向に延びており、このガイド孔に沿ってガイドピン１０が相対移動することにより、内筒体４は外筒体２に対して摺動可能である。この摺動可能な内筒体４は外筒体２の側面に立設されたロックピン６により、外筒体２に対して固定することができる。
【００２７】
図１に示すように、取付面５０にナット５１が取り付けられており、このナット５１から突出したボルト５２の軸に緩み止めリング２３が取り付けられている。緩み止めリング２３は外形が略円形であり、内側には、縮径方向へ複数の板状の撓み片２３ａが突出形成されている。これら複数の撓み片２３ａの先端がボルト５２のネジ山と係合することにより、ナット５１の緩みが抑止されている。
【００２８】
緩み止めリング２３を取り外す際は、先ず、開口縁２ａにナット５１、緩み止めリング２３及びボルト５２を収容するように、取外し工具１が取付面５０に押し付けられる。そして、緩み止めリング２３が外筒体２内に収容された状態で取外し工具１を軸回転させると、外筒体２の円筒内面との間に生じる摩擦により、緩み止めリング２３は取外し工具１と一体に回転する。これにより、緩み止めリング２３はボルト５２のネジ溝に沿って取り外される。
【００２９】
取外し工具１の内筒体４には、開口縁２ａとは逆の他端側に連結部８が延設されている。この連結部８には遠隔操作棒の先端が連結可能である。ここでは、図示をしないが、遠隔操作棒には、内部に回転機構を備えたものや、回転機構を備えない単なる操作棒が状況に応じて使い分けられる。ナット５１と共に緩み止めリング２３を外筒体２の開口縁２ａの内側に収容した状態で遠隔操作棒を軸回転させると、緩み止めリング２３の撓み片２３ａの先端が、ボルト５２のネジ山に沿って回転するので、ボルト５２から取り外すことができる。
【００３０】
次に、図２に開口縁２ａの周辺を拡大した正面図を示す。外筒体２には、上述のようにスリット２ｂが開口縁２ａ側から所定長さＬの範囲で形成されている。そして、２箇所の貫通孔２ｃは、共に、所定長さＬの範囲内に形成されている。本実施の形態に係る取外し工具１において、外筒体２の内径は、対象となる緩み止めリング２３の外径と略同じ値となるように形成されている。具体的には、外径φが３１ｍｍの緩み止めリング２３に対して、外筒体２の内径の基準寸法は同一の３１ｍｍとして設計される。この場合、寸法公差は±１．５ｍｍ程度に設定される。
【００３１】
また、内筒体４の一端４ａ側には、ボルト５２を収容できる程度に開口した収容孔４ｂが形成されている。これにより、内筒体４の一端４ａに当接する位置まで緩み止めリング２３を収容することができる。
【００３２】
本実施の形態に係る取外し工具１によれば、仮に、緩み止めリング２３に対して外筒体２の内径が僅かに小さい場合であっても、図２に二点鎖線で表わしたように、外筒体２の開口縁２ａ側がスリット２ｂを中心に開くように弾性変形し、この変形により生じた反力によって収容された緩み止めリング２３を把持できる。このように把持されることにより、緩み止めリング２３の外周縁と外筒体２の円筒内面との間に摩擦が生じるので、上述のように取外し工具１を軸回転操作すると、緩み止めリング２３をボルト５２から解き外すことができる。
【００３３】
なお、図２に示したように、内筒体４は、その一端４ａが外筒体２の開口縁２ａから所定長さＬの範囲内（スリット２ｂの形成されている範囲内）に位置するように設定され、この位置においてロックピン６により固定されている。次に、外筒体２に対して内筒体４が移動した状態について図３を用いて説明する。
【００３４】
図３（ａ）は、緩み止めリング２３が外筒体２内に収容された状態において、ロックピン６を持ち上げることにより外筒体２に対する内筒体４のロック状態を解除し、内筒体４の一端４ａがスリット２ｂの形成された範囲を外れて他端４ｄ側へ移動（退避）された様子を示している。これにより、緩み止めリング２３を内筒体４の一端４ａに当接する位置まで収容した場合であっても、ロックピン６を解除して内筒体４を他端４ｄ側へ退避させると、内筒体４の一端４ａと緩み止めリング２３との間に空間を形成することができる。
【００３５】
この状態において、図３（ｂ）に示すように、緩み止めリング２３の外周寄りの部分を押圧すると、緩み止めリング２３は外筒体２内で回転する。そして、さらに押圧すると、最終的に、図３（ａ）の状態から９０度回転した状態にまで向きが変化する。これにより、緩み止めリング２３の外周縁が外筒体２の開口縁２ａ側まで回動するので、この外周縁を掴んで容易に取り出すことが可能となる。
【００３６】
さらに、図３（ｃ）の状態のように、緩み止めリング２３の外周縁が外筒体２のスリット２ｂの位置と一致するように押圧回動させると、スリット２ｂ内を外周縁が滑るように移動できるので、さらに取り出しが容易になる。
【００３７】
ところで、本実施の形態に係る取外し工具１においては、内筒体４にも内スリット４ｃが形成されている。したがって、図３に示したように内筒体４を他端４ｄ側へ摺動させなくても、外筒体２のスリット２ｂから内筒体４の内スリット４ｃを通して緩み止めリング２３を操作することができる。この様子が図４に示されている。
【００３８】
図４は、図３（ａ）においてスリット２ｂの間を通るＡ−Ａ線で切断した断面図である。本実施の形態に係る取外し工具１では、図４に示すように、内スリット４ｃがスリット２ｂと周方向において一致するように形成されている。これにより、図４中に二点鎖線で示したドライバー５３等の棒状部材を、外筒体２のスリット２ｂ及び内筒体４の内スリット４ｃを通して差し込むことができる。このようにして、内側から引き起こすようにして緩み止めリング２３の向きを変えて取り出すことが可能となる。
【００３９】
続いて、緩み止めリング２３と外筒体２、内筒体４との相互作用について図５を用いて説明する。図５は、図３（ａ）において貫通孔２ｃの略中心を通るＢ−Ｂ線で切断した断面図である。外筒体２の切断面には４５度のハッチングが付されており、緩み止めリング２３は二点鎖線で示されている。また、説明の便宜のため、内筒体４の端面はクロスハッチングによって表わされている。上述のように、内筒体４の内スリット４ｃは外筒体２のスリット２ｂに一致するように配置されている。そして、スリット２ｂが形成されている領域を挟んで上下に形成されている貫通孔２ｃは、それぞれ略９０度の中心角で開口するように湾曲した長孔状に形成されている。このように、貫通孔２ｃがスリット２ｂの間に形成されているので、図２に二点鎖線で示したような弾性変形が容易になる。スリット２ｂが柔軟に開放でき、弾性力に基づいて緩み止めリング２３を把持できるためには、外筒体２が可撓性及び弾性を有する樹脂材で形成されていることが望ましい。しかし、弾力性が生じる程度に貫通孔２ｃを大きく形成すれば、金属等の部材でも構わない。
【００４０】
このように構成されているので、緩み止めリング２３には、外筒体２の円筒内面２ｄだ
けではなく、内筒体４の端面との間にも摩擦力が生じる。
【００４１】
また、これらの摩擦力による作用に加えて、図５に示すように、緩み止めリング２３の外周縁に凹部２３ｃが形成されている場合は、この凹部２３ｃと貫通孔２ｃの内側エッジ２ｅとが係合することによって回転力が伝達される。これは、特に、最大許容寸法の外筒体２において、円筒内面２ｄからの摩擦力が十分に得られない場合に有効に作用する（上述の具体例で言うと、３１φの緩み止めリングに対して外筒体の内径がプラス公差の３２．５ｍｍで形成されている場合）。
【００４２】
同様に、緩み止めリング２３の凹部２３ｃは、外筒体２のスリット２ｂにも係合可能である。この意味において、スリット２ｂ、貫通孔２ｃは緩み止めリング２３の回転を補助する係合構造としての作用を生じさせるものである。本実施の形態では、外形が略円形の緩み止めリング２３を例として示しているが、外形が正多角形状の緩み止めリングに対しては、特に、スリット２ｂとの係合状態が安定する。
【００４３】
また、緩み止めリング２３の複数の撓み片２３ａは図２に示したように、長手方向他端側に反っているので、これら撓み片２３ａと内筒体４の内スリット４ｃとが係合し、回転力を伝達させることも可能である。
【００４４】
また、上記作用とは別に、外筒体２の内径に対して緩み止めリング２３の外径が小さい場合、緩み止めリング２３の外周縁２３ｂの一部が貫通孔２ｃの内側に進入することができるので、長手方向へ抜けようとする緩み止めリング２３の外周縁２３ｂを貫通孔２ｃで引っ掛けて脱落を防止することが可能である。
【００４５】
ここで、緩み止めリング２３を外筒体２に回収する毎に取り出さずに、連続して回収する作業について説明する（図１を参照）。
【００４６】
本実施の形態に係る取外し工具１によって緩み止めリング２３を連続回収するには２つの方法がある。一つは、既に回収された緩み止めリング２３を外筒体２内に残したまま、新たな対象であるボルト５２の軸に沿って押し込む方法である。この場合、外筒体２内にある回収済みの緩み止めリング２３の撓み片２３ａは、ボルト５２のネジ山の通過により中央域を押し広げられ、進行方向に対して後方側へ撓む。このようにして、新たな緩み止めリング２３が回収済みの緩み止めリング２３に当接する状態まで取外し工具１が取付面５０側に押し付けられる。そして、取外し工具１の軸回りの回転操作によって、回収済みの緩み止めリング２３と共にボルト５２のネジ溝に沿って一体的に回転しながら、新たな緩み止めリング２３が取り外される。
【００４７】
これに対して、もう一つは、既に回収された緩み止めリング２３を外筒体２内に残したまま、新たな対象であるボルト５２のネジ溝に沿って回転させながら押し込む方法である。すなわち、取外しの際とは逆の回転によって回収済みの緩み止めリング２３が新たなボルト５２に当接するまで押し込まれる。そして、外筒体２内に取り込まれた新たな緩み止めリング２３は、取外し工具１を反転操作することによって、回収済みの緩み止めリング２３と一体的に取り外される。
【００４８】
上記２つの方法のうち、後者の場合は、特に、正反転動作が可能な電動工具を用いる構成において有用である。また、複数の緩み止めリング２３を連続的に回収する場合には、互いに接する緩み止めリング２３の撓み片２３ａ同士が係合することによっても間接的に回転力が伝達されるという利点も有している。
【００４９】
本実施の形態に係る取外し工具１では、外筒体２の緩み止めリング２３を収容する領域に、中心角が略９０度の大きく開口した貫通孔２ｃが２箇所形成されているので、遠隔操
作においても、内部の状態を確認するための視認性も十分である。このため、上述のような、連続回収においても作業が容易になる。
【００５０】
以上のように、本実施の形態に係る取外し工具１によれば、外筒体２の内径寸法が、対象となる緩み止めリング２３の外径寸法に対してプラス及びマイナスの何れ側に数値が振れていても、多少の差であれば、回転力を良好に伝達できると共に、取り外した緩み止めリング２３を安全に保持することができる。従って、製品歩留まりも高くなり、製造コストを低減することが可能である。
【００５１】
尚、上記の実施の形態では、外筒体２において周方向の対極位置にスリット２ｂが２箇所形成されている構成を例として示した。しかし、スリット２ｂは２箇所に限らず、さらに、周方向に回転対称となる位置に形成されていなくても構わない。
【００５２】
また、上記の実施の形態では、外筒体２において周方向の対極位置に貫通孔２ｃが２箇所形成されている構成を例として示した。しかし、貫通孔２ｃが形成されるのは一方側だけでも構わない。また、貫通孔２ｃは長孔状に形成されていなくても構わない。
【００５３】
また、上記の実施の形態では、内筒体４の端部に内スリット４ｃが形成されている構成を例として示した。しかし、内スリット４ｃは形成されていなくても構わない。
【００５４】
また、上記の実施の形態では、外筒体２は、緩み止めリング２３との係合作用を有するスリット２ｂが形成された構成を例として示した。しかし、係合構造としてのスリット２ｂの代わりに、円筒内面２ｄに突条又は溝が形成されている構成でも構わない。この場合、突条又は溝は、長手方向と平行に形成されていなくても良い（例えば、螺旋状等も可能である。）。また、所定長さＬの範囲で連続して形成されていなくても良い。さらに、スリット２ｂ、突条及び溝の任意の組み合わせにより係合構造が構成されていても構わない。
【産業上の利用可能性】
【００５５】
本発明の緩み止めリング取外し工具は、円筒内面に形成された係合構造により緩み止めリングの外周縁を把持できるので、外形が略円形の緩み止めリングに限らず、多角形の外周縁を有する緩み止めリングに対しても有用である。
【符号の説明】
【００５６】
１      （緩み止めリングの）取外し工具
２      外筒体
２ａ      開口縁
２ｂ      スリット（係合構造）
２ｃ      貫通孔
２ｄ      円筒内面
２ｅ      内側エッジ
４      内筒体
４ａ      （内筒体の）一端
４ｂ      収容孔
４ｃ      内スリット
４ｄ      他端
４ｅ      ガイド長孔
６      ロックピン
８      連結部
１０      ガイドピン
２３      緩み止めリング
２３ａ      撓み片
２３ｂ      （緩み止めリングの）外周縁
２３ｃ      凹部
５０      取付面
５１      ナット
５２      ボルト
５３      ドライバー
１００      緩み止め具
１０１      周囲壁
１０２      周端縁部
１０３      板バネ片
１０４      ボルト挿通領域
１５０      ボルト
１６０      取外し工具
２００      緩み止めナット
２００ａ      外周側板部
２００ｂ      下平面板部
２０１      撓み羽根
２０１ａ      羽根先
２５０      ボルト
２６０      脱着工具
２６１      押し付けパイプ軸
２６２      爪
２６３      ボルト逃がしパイプ穴
２６４      ハンドル
Ｌ      所定長さ
【図１】
0006564657.tif 000002
【図２】
0006564657.tif 000003
【図３】
0006564657.tif 000004
【図４】
0006564657.tif 000005
【図５】
0006564657.tif 000006
【図６】
0006564657.tif 000007
【図７】
0006564657.tif 000008